(57)【特許請求の範囲】
【請求項１】
アクセス・ポイントが、ローカル・インターネット・プロトコル（ＩＰ）アクセスを提供するか示す方法であって、
ローカルＩＰアクセス接続が前記アクセス・ポイントにおいて利用可能であることを判定することと、
モバイル・デバイスの機能を受信することと、
前記ローカルＩＰアクセス接続が前記アクセス・ポイントにおいて利用可能であることを、共通シグナリングを用いることにより前記モバイル・デバイスに通知することと、を備え、
前記通知することは、前記ローカルＩＰアクセス接続が利用可能であることを示すインジケーションを、前記モバイル・デバイスの機能に応じて、オーバヘッド・チャネルで通知することを備える、方法。
【請求項２】
前記モバイル・デバイスからの接続をトリガすることをさらに備える、請求項１に記載の方法。
【請求項３】
前記アクセス・ポイントにおいて、前記モバイル・デバイスから、前記ローカルＩＰアクセス接続を確立する要求を受信することをさらに備える、請求項１に記載の方法。
【請求項４】
前記オーバヘッド・チャネルはシステム情報ブロックを備え、ビットが、前記ローカルＩＰアクセス接続が前記アクセス・ポイントにおいて利用可能であるかを示す、請求項１に記載の方法。
【請求項５】
前記判定することは、ネットワーク・エンティティからコンフィギュレーションを受信することを備え、前記コンフィギュレーションは、前記ローカルＩＰアクセス接続を前記モバイル・デバイスへ提供するかを示す、請求項１に記載の方法。
【請求項６】
前記判定することは、前記ローカルＩＰアクセス接続が前記モバイル・デバイスのために許可されていることを示すインジケーションをネットワーク・エンティティから受信することを備える、請求項１に記載の方法。
【請求項７】
無線通信装置であって、
ローカルＩＰアクセス接続が、前記無線通信装置において利用可能であることを確証することと、
モバイル・デバイスの機能を受信することと、
前記ローカルＩＰアクセス接続が利用可能であるとの通知を、共通シグナリングによって前記モバイル・デバイスへ送信することと
に関連する命令群を保持するメモリと、
前記メモリに接続され、前記メモリに保持された命令群を実行するように構成されたプロセッサと
を備え、
前記メモリはさらに、前記ローカルＩＰアクセス接続のインジケーションを、前記モバイル・デバイスの機能に応じて、オーバヘッド・チャネルで通知することに関連する命令群を保持し、
前記オーバヘッド・チャネルは、システム情報ブロックを備え、
前記インジケーションは、前記ローカルＩＰアクセス接続が利用可能であることを示すビットである、
無線通信装置。
【請求項８】
前記メモリはさらに、ネットワーク・エンティティからコンフィギュレーションを受信することに関連する命令群を保持し、
前記コンフィギュレーションは、前記ローカルＩＰアクセス接続を提供するかを示す、請求項７に記載の無線通信装置。
【請求項９】
前記メモリはさらに、前記ローカルＩＰアクセス接続がモバイル・デバイスのために許可されていることを示すインジケーションをネットワーク・エンティティから受信することに関連する命令群を保持する、請求項７に記載の無線通信装置。
【請求項１０】
ローカル・インターネット・プロトコル（ＩＰ）アクセスが利用可能であることを示す無線通信装置であって、
ローカルＩＰアクセス接続が、前記無線通信装置において利用可能であることを判定する手段と、
モバイル・デバイスの機能を受信する手段と、
前記無線通信装置においてローカルＩＰアクセス接続が利用可能であることを、前記モバイル・デバイスの機能に応じて前記モバイル・デバイスへ伝えるために、共通シグナリングを用いる手段と、
ローカルＩＰアクセス接続を示すインジケーションを、オーバヘッド・チャネルで通知する手段と、を備え、
前記オーバヘッド・チャネルは、システム情報ブロックを備え、インジケーションは、ローカルＩＰアクセス接続が利用可能であることを示すビットである、無線通信装置。
【請求項１１】
コンピュータに対して、モバイル・デバイスのためにローカルＩＰアクセス接続が利用可能であることを判定させるための第１のコードのセットと、
前記コンピュータに対して、前記モバイル・デバイスの機能を受信させるための第２のコードのセットと、
前記コンピュータに対して、前記ローカルＩＰアクセス接続が利用可能であることを示すインジケーションを前記モバイル・デバイスへ送信するために共通シグナリングを使用させるための第３のコードのセットと、を記録し、
前記第３のコードのセットは、前記ローカルＩＰアクセス接続が利用可能であることを示すインジケーションを、前記モバイル・デバイスの機能に応じて、オーバヘッド・チャネルで通知すること
を備えるコンピュータ読取可能な記録媒体。
【請求項１２】
前記第１のコードのセットは、前記モバイル・デバイスに前記ローカルＩＰアクセス接続を提供するかを示すコンフィギュレーションをネットワーク・エンティティから受信するか、または、前記モバイル・デバイスのために前記ローカルＩＰアクセス接続が許可されていることを示すインジケーションを受信する、請求項１１に記載のコンピュータ読取可能な記録媒体。
【請求項１３】
ローカル・インターネット・プロトコル（ＩＰ）アクセスが利用可能であるかを示すように構成された少なくとも１つのプロセッサであって、
ローカルＩＰアクセス接続を提供するかを示すコンフィギュレーション、または、前記ローカルＩＰアクセス接続がモバイル・デバイスのために許可されているかを示すインジケーションを、ネットワーク・エンティティから受信する第１のモジュールと、
前記コンフィギュレーションまたは前記インジケーションに応じて、前記ローカルＩＰアクセス接続が利用可能であることを確証する第２のモジュールと、
前記モバイル・デバイスの機能を受信する第３のモジュールと、
前記ローカルＩＰアクセス接続が利用可能であるとの通知を、前記モバイル・デバイスの機能に応じて、共通シグナリングによって伝送する第４のモジュールと、
オーバヘッド・チャネルにビットを挿入する第５のモジュールと、を備え、
前記ビットは、前記ローカルＩＰアクセス接続が利用可能であることを示し、
前記第４のモジュールは、前記オーバヘッド・チャネルを共通シグナリングで送信する、
少なくとも１つのプロセッサ。
【請求項１４】
アクセス・ポイントが、ローカル・インターネット・プロトコル（ＩＰ）アクセス接続を提供するか示す方法であって、
前記アクセス・ポイントへの接続を確立する要求を、モバイル・デバイスから受信することと、
ローカルＩＰアクセス接続を前記アクセス・ポイントが提供できることを判定することと、
前記ローカルＩＰアクセス接続が少なくとも１つのローカルに利用可能なノードにアクセスすることができるようにするために前記アクセス・ポイントにおいて利用可能であることを、専用シグナリングを用いることにより前記モバイル・デバイスに通知することと、
前記モバイル・デバイスの機能を受信することと、を備え、
前記通知することは、前記モバイル・デバイスの機能に応じている、方法。
【請求項１５】
前記判定することは、ネットワーク・エンティティからコンフィギュレーションを受信することを備え、
前記コンフィギュレーションは、前記ローカルＩＰアクセス接続を前記モバイル・デバイスへ提供するかを示す、請求項１４に記載の方法。
【請求項１６】
前記専用シグナリングは、モバイル・デバイス特有のシグナリングを用いてインジケーションを送信することを備える、請求項１４に記載の方法。
【請求項１７】
前記専用シグナリングは、ラジオ・リソース制御（ＲＲＣ）コマンドを使用することを備え、
前記ＲＲＣコマンドは、ＲＲＣＲｅｃｏｎｆｉｇｕｒａｔｉｏｎＣｏｍｍａｎｄメッセージである、請求項１４に記載の方法。
【請求項１８】
前記モバイル・デバイスから、前記ローカルＩＰアクセス接続を確立する第２の要求を受信することをさらに備える、請求項１４に記載の方法。
【請求項１９】
無線通信装置であって、
前記無線通信装置への接続の確立を求める要求をモバイル・デバイスから取得することと、
前記無線通信装置がローカルＩＰアクセス接続を提供することを確証することと、
前記ローカルＩＰアクセス接続が少なくとも１つのローカルに利用可能なノードにアクセスすることができるようにするために利用可能であるとの通知を、専用シグナリングを用いて前記モバイル・デバイスへ送信することと、
前記モバイル・デバイスの機能を受信することと、に関連する命令群を保持し、
前記通知することは、前記モバイル・デバイスの機能に応じている、メモリと、
前記メモリに接続され、前記メモリに保持された命令群を実行するように構成されたプロセッサと
を備える無線通信装置。
【請求項２０】
前記メモリはさらに、前記モバイル・デバイスに前記ローカルＩＰアクセス接続を提供するかを示すコンフィギュレーションをネットワーク・エンティティから受信することに関連する命令群を保持する、請求項１９に記載の無線通信装置。
【請求項２１】
前記メモリはさらに、
モバイル・デバイス特有のシグナリングを用いてインジケーションを送信することと、
ラジオ・リソース制御コマンドを使用することと
に関連する命令群を保持する、請求項１９に記載の無線通信装置。
【請求項２２】
ローカル・インターネット・プロトコル（ＩＰ）アクセス接続が利用可能であることを示す無線通信装置であって、
前記無線通信装置への接続を確立する要求をモバイル・デバイスから受信する手段と、
ローカルＩＰアクセス接続が前記モバイル・デバイスに提供されうることを判定する手段と、
少なくとも１つのローカルに利用可能なノードにアクセスすることができるようにするために前記ローカルＩＰアクセス接続が利用可能であることを前記モバイル・デバイスに通知するために、専用シグナリングを用いる手段と、
前記モバイル・デバイスの機能を受信するための手段と、を備え、
前記通知することは、前記モバイル・デバイスの機能に応じている、
無線通信装置。
【請求項２３】
前記モバイル・デバイスに前記ローカルＩＰアクセス接続を提供するかを示すコンフィギュレーションをネットワーク・エンティティから受信する手段をさらに備える、請求項２２に記載の無線通信装置。
【請求項２４】
前記専用シグナリングを用いる手段はさらに、ラジオ・リソース制御コマンドを使用する手段を備え、
前記ラジオ・リソース制御コマンドは、ＲＲＣＲｅｃｏｎｆｉｇｕｒａｔｉｏｎＣｏｍｍａｎｄメッセージである、請求項２２に記載の無線通信装置。
【請求項２５】
コンピュータに対して、接続要求を受信させるための第１のコードのセットと、
前記コンピュータに対して、ローカルＩＰアクセス接続が利用可能であることを判定させるための第２のコードのセットと、
前記コンピュータに対して、前記ローカルＩＰアクセス接続が少なくとも１つのローカルに利用可能なノードにアクセスすることができるようにするために利用可能であることに関連する情報を伝送させるための第３のコードのセットと、
前記コンピュータに対して、モバイル・デバイスの機能を受信するための第４のコードのセットと、を記録し、
前記伝送することは、前記モバイル・デバイスの機能に応じている、
コンピュータ読取可能な記録媒体。
【請求項２６】
前記コンピュータに対して、前記ローカルＩＰアクセス接続を提供するかを示すコンフィギュレーションをネットワーク・エンティティから受信させるための第４のコードのセットをさらに記録した、請求項２５に記載のコンピュータ読取可能な記録媒体。
【請求項２７】
ローカル・インターネット・プロトコル（ＩＰ）アクセス接続が利用可能であるかを示すように構成された少なくとも１つのプロセッサであって、
モバイル・デバイスから接続要求を受信する第１のモジュールと、
ローカルＩＰアクセス接続が利用可能であることを示すネットワーク・コンフィギュレーションを取得する第２のモジュールと
前記ローカルＩＰアクセス接続が少なくとも１つのローカルに利用可能なノードにアクセスすることができるようにするために利用可能であるとの通知を、専用シグナリングによって送信する第３のモジュールと
前記モバイル・デバイスの機能を受信する第４のモジュールと、を備え、
前記通知は、前記モバイル・デバイスの機能に応じている、
少なくとも１つのプロセッサ。
【請求項２８】
前記モバイル・デバイスの機能を受信する第５のモジュールをさらに備え、
前記第３のモジュールは、前記モバイル・デバイスの機能に応じて前記通知を送信する、請求項２７に記載の少なくとも１つのプロセッサ。
【請求項２９】
ローカル・インターネット・プロトコル（ＩＰ）アクセス機能情報を取得する方法であって、
モバイル・デバイスの機能を送信することと、
ローカルＩＰアクセス接続をアクセス・ポイントが提供する機能を備えるインジケーションを、前記アクセス・ポイントから受信することと、
前記インジケーションに応じて、前記ローカルＩＰアクセス接続を要求することと
を備え、
前記受信することは、前記モバイル・デバイスの機能に応じて、オーバヘッド・チャネルによって通知された前記インジケーションを、専用シグナリングを用いて取得することを備える、方法。
【請求項３０】
前記オーバヘッド・チャネルは、システム情報ブロックを備える、請求項２９に記載の方法。
【請求項３１】
前記受信することの前に、前記アクセス・ポイントとの接続の確立を要求することをさらに備える、請求項２９に記載の方法。
【請求項３２】
前記受信することは、モバイル・デバイス特有のシグナリングによって、前記インジケーションを取得することを備える、請求項２９に記載の方法。
【請求項３３】
前記受信することは、ラジオ・リソース制御（ＲＲＣ）コマンドを受信することを備え、
前記ＲＲＣコマンドは、ＲＲＣＲｅｃｏｎｆｉｇｕｒａｔｉｏｎＣｏｍｍａｎｄメッセージである、請求項２９に記載の方法。
【請求項３４】
無線通信装置であって、
モバイル・デバイスの機能を送信することと、
ローカルＩＰアクセス接続がアクセス・ポイントにおいて利用可能であることを示すインジケーションを受信することと、
前記ローカルＩＰアクセス接続を要求することと
に関連する命令群を保持するメモリと、
前記メモリに接続され、前記メモリに保持された命令群を実行するように構成されたプロセッサと
を備え、
前記メモリはさらに、前記モバイル・デバイスの機能に応じて、オーバヘッド・チャネルによって通知された、システム情報ブロックを備えるインジケーションを、専用シグナリングを用いて取得することに関連する命令群を保持する、無線通信装置。
【請求項３５】
前記メモリはさらに、共通シグナリングまたは専用シグナリングで前記インジケーションを受信することに関連する命令群を保持する、請求項３４に記載の無線通信装置。
【請求項３６】
ローカル・インターネット・プロトコル（ＩＰ）アクセス接続情報を取得する無線通信装置であって、
モバイル・デバイスの機能を送信する手段と、
ローカルＩＰアクセス接続をアクセス・ポイントが提供する機能を備えるインジケーションを受信する手段と、
前記インジケーションに応じて、ローカルＩＰアクセス接続を要求する手段と
前記モバイル・デバイスの機能に応じて、オーバヘッド・チャネルによって通知された、システム情報ブロックを備えるインジケーションを、専用シグナリングを用いて取得するための手段と、
を備える無線通信装置。
【請求項３７】
前記受信する手段が前記インジケーションを受信する前に、前記アクセス・ポイントとの接続の確立を要求する手段をさらに備える、請求項３６に記載の無線通信装置。
【請求項３８】
コンピュータに対して、モバイル・デバイスの機能を送信させるための第１のコードのセットと、
前記コンピュータに対して、ローカル・インターネット・プロトコル（ＩＰ）アクセス接続をアクセス・ポイントが提供できることを示すインジケーションを受信させるための第２のコードのセットと、
前記コンピュータに対して、ローカルＩＰアクセス接続を要求させるための第３のコードのセットと
前記コンピュータに対して、前記モバイル・デバイスの機能に応じて、オーバヘッド・チャネルによって通知された、システム情報ブロックを備える前記インジケーションを、専用シグナリングを用いて取得させるための第４のコードのセットと、
を記録したコンピュータ読取可能な記録媒体。
【請求項３９】
前記第２のコードのセットは、共通シグナリングまたは専用シグナリングで前記インジケーションを受信する、請求項３８に記載のコンピュータ読取可能な記録媒体。
【請求項４０】
ローカル・インターネット・プロトコル（ＩＰ）アクセス機能情報を取得するように構成された少なくとも１つのプロセッサであって、
アクセス・ポイントとの接続を要求する第１のモジュールと、
少なくとも１つのローカルに利用可能なノードにアクセスすることができるようにするために前記接続が利用可能であることを示すインジケーションを受信する第２のモジュールと、ここで、前記接続は、ローカルＩＰアクセス接続である、
モバイル・デバイスの機能を送信する第３のモジュールと、ここで、前記インジケーションは、前記モバイル・デバイスの機能に応じている、
前記ローカルＩＰアクセス接続を要求する第４のモジュールと
を備える、少なくとも１つのプロセッサ。
【請求項４１】
前記第２のモジュールは、システム情報ブロックを備えるオーバヘッド・チャネルを受信する、請求項４０に記載の少なくとも１つのプロセッサ。
【発明の詳細な説明】
【相互参照】
【０００１】
これは、「ローカルＩＰアクセス機能インジケーションのための方法および装置」（METHOD AND APPARATUS FOR LOCAL IP ACCESS CAPABILITY INDICATION）と題され、２００９年５月８日に出願された、本願の譲受人に譲渡され、本明細書において参照によって明確に組み込まれている米国仮出願６１／１７６，６４９号に対する優先権を主張する出願である。
【技術分野】
【０００２】
以下の記述は、一般に、無線通信に関し、さらに詳しくは、ローカル・インターネット・プロトコル・アクセスに関する。
【背景技術】
【０００３】
無線通信システムは、例えば音声、データ、ビデオ等のようなさまざまなタイプの通信を提供し、ユーザがどこに（例えば、建物の内部または外部など）位置していようと、ユーザが静止していようと、（例えば、車や徒歩で）移動していようと、情報を通信するように広く展開されている。これらのシステムは、利用可能なシステム・リソース（例えば、帯域幅および送信電力）を共有することにより、複数のユーザとの通信をサポートすることができる多元接続システムでありうる。多元接続システムは、周波数分割多元接続（ＦＤＭＡ）システム、時分割多元接続（ＴＤＭＡ）システム、符号分割多元接続（ＣＤＭＡ）システム、および直交周波数分割多元接続（ＯＦＤＭＡ）システム、第３世代ロング・ターム・イボリューション（ＬＴＥ）システム、およびその他を含む。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわちダウンリンク）は、基地局からモバイル・デバイスへの通信リンクを称する。逆方向リンク（すなわちアップリンク）は、モバイル・デバイスから基地局への通信リンクを称する。これら通信リンクは、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
現在展開されているモバイル電話ネットワークに加えて、小規模な基地局からなる新たなクラスが出現している。これは、ユーザの住宅に搭載され、既存のブロードバンド・インターネット接続を用いて、モバイル・ユニットに屋内無線有効通信範囲を提供する。このような個人的な小型の基地局は、一般に、アクセス・ポイント基地局、あるいは、ホーム・ノードＢ（ＨＮＢ）、ホームｅノードＢ、またはフェムト・セルとして知られている。典型的には、このような小型基地局は、デジタル加入者線（ＤＳＬ）ルータまたはケーブル・モデムを経由して、インターネットおよびモバイル・オペレータのネットワークに接続される。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や判定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
１または複数の態様および対応する開示によれば、ローカル・インターネット・プロトコル（ＩＰ）機能インジケーションに関連したさまざまな態様が記載される。態様は、アクセス・ポイントが、ローカル・インターネット・プロトコル（ＩＰ）アクセスを提供するかを示す方法に関する。方法は、ローカルＩＰアクセス接続がアクセス・ポイントにおいて利用可能であることを判定することと、ローカルＩＰアクセス接続がアクセス・ポイントにおいて利用可能であることを、共通シグナリングを用いることによりモバイル・デバイスに通知することとを備える。
【０００８】
別の態様は、メモリとプロセッサとを備える無線通信装置に関する。メモリは、ローカルＩＰアクセス接続が、無線通信装置において利用可能であることを確証することと、ローカルＩＰアクセス接続が利用可能であるとの通知を、共通シグナリングによって送信することとに関連する命令群を保持する。プロセッサは、メモリに接続され、メモリに保持された命令群を実行するように構成される。
【０００９】
別の態様は、ローカル・インターネット・プロトコル（ＩＰ）アクセスが利用可能であることを示す無線通信装置に関する。無線通信装置は、ローカルＩＰアクセス接続が、無線通信装置において利用可能であることを判定する手段と、無線通信装置においてローカルＩＰアクセス接続が利用可能であることを伝えるために、共通シグナリングを用いる手段とを備える。無線通信装置はまた、ローカルＩＰアクセス接続を示すインジケーションを、オーバヘッド・チャネルで通知する手段をも備えうる。オーバヘッド・チャネルは、システム情報ブロックを備え、インジケーションは、ローカルＩＰアクセス接続が利用可能であることを示すビットである。
【００１０】
さらなる態様は、コンピュータ読取可能媒体を備えるコンピュータ・プログラム製品に関する。コンピュータ読取可能媒体には、コンピュータに対して、ローカルＩＰアクセス接続がモバイル・デバイスのために利用可能であるか判定させるための第１のコードのセットと、コンピュータに対して、ローカルＩＰアクセス接続が利用可能であることを示すインジケーションをモバイル・デバイスへ送るために共通シグナリングを使用させるための第２のコードのセットとが含まれる。第１のコードのセットは、モバイル・デバイスにローカルＩＰアクセス接続を提供するかを示すコンフィギュレーションをネットワーク・エンティティから受信するか、または、モバイル・デバイスのためにローカルＩＰアクセス接続が許可されていることを示すインジケーションを受信しうる。
【００１１】
態様は、ローカル・インターネット・プロトコル（ＩＰ）アクセスが利用可能であるかを示すように構成された少なくとも１つのプロセッサに関する。プロセッサは、ローカルＩＰアクセス接続を提供するかを示すコンフィギュレーション、または、ローカルＩＰアクセス接続がモバイル・デバイスのために許可されているかを示すインジケーションを、ネットワーク・エンティティから受信する第１のモジュールを備える。プロセッサはまた、コンフィギュレーションまたはインジケーションに応じて、ローカルＩＰアクセス接続が利用可能であることを確証する第２のモジュールと、ローカルＩＰアクセス接続が利用可能であるとの通知を、共通シグナリングによって伝送する第２のモジュールとを備える。
【００１２】
別の態様は、アクセス・ポイントがローカル・インターネット・プロトコル（ＩＰ）アクセス接続を提供するかを示す方法に関する。方法は、アクセス・ポイントへの接続を確立する要求を、モバイル・デバイスから受信することと、ローカルＩＰアクセス接続をアクセス・ポイントが提供できることを判定することとを備える。方法はまた、ローカルＩＰアクセス接続がアクセス・ポイントにおいて利用可能であることを、専用シグナリングを用いることによりモバイル・デバイスに通知することを備える。いくつかの態様によれば、方法は、モバイル・デバイスの機能を受信することを備える。ここで、通知することは、モバイル・デバイスの機能に応じている。
【００１３】
別の態様は、メモリとプロセッサとを備える無線通信装置に関する。メモリは、無線通信装置への接続の確立を求める要求をモバイル・デバイスから取得することと、無線通信装置がローカルＩＰアクセス接続を提供しうることを確証することと、ローカルＩＰアクセス接続が利用可能であるとの通知を、専用シグナリングを用いてモバイル・デバイスへ送信することとに関連する命令群を保持する。プロセッサは、メモリに接続され、メモリに保持された命令群を実行するように構成される。
【００１４】
さらなる態様は、ローカル・インターネット・プロトコル（ＩＰ）アクセス接続が利用可能であることを示す無線通信装置に関する。無線通信装置は、無線通信装置への接続を確立する要求をモバイル・デバイスから受信する手段と、ローカルＩＰアクセス接続がモバイル・デバイスに提供されうることを判定する手段とを備える。無線通信装置はまた、ローカルＩＰアクセス接続が利用可能であることをモバイル・デバイスに通知するために、専用シグナリングを用いる手段を備える。
【００１５】
態様によれば、専用シグナリングを用いる手段はさらに、ラジオ・リソース制御コマンドを使用する手段を備える。ここで、ラジオ・リソース制御コマンドは、ＲＲＣＲｅｃｏｎｆｉｇｕｒａｔｉｏｎＣｏｍｍａｎｄメッセージである。態様によれば、無線通信装置はさらに、モバイル・デバイスにローカルＩＰアクセス接続を提供するかを示すコンフィギュレーションをネットワーク・エンティティから受信する手段を備える。
【００１６】
態様は、コンピュータ読取可能媒体を備えるコンピュータ・プログラム製品に関する。コンピュータ読取可能媒体には、コンピュータに対して、接続要求を受信させるための第１のコードのセットと、コンピュータに対して、ローカルＩＰアクセス接続が利用可能であることを判定させるための第２のコードのセットとが含まれる。コンピュータ読取可能媒体にはまた、コンピュータに対して、ローカルＩＰアクセス接続が利用可能であるかに関する情報を伝送させるための第３のコードのセットが含まれる。
【００１７】
別の態様は、ローカル・インターネット・プロトコル（ＩＰ）アクセス接続が利用可能であるかを示すように構成された少なくとも１つのプロセッサに関する。少なくとも１つのプロセッサは、モバイル・デバイスから接続要求を受信する第１のモジュールと、ローカルＩＰアクセス接続が利用可能であることを示すネットワーク・コンフィギュレーションを取得する第２のモジュールとを備える。少なくとも１つのプロセッサはまた、ローカルＩＰアクセス接続が利用可能であるとの通知を、専用シグナリングによって送信する第３のモジュールを備える。
【００１８】
さらなる態様は、ローカル・インターネット・プロトコル（ＩＰ）アクセス機能情報を取得する方法に関する。方法は、ローカルＩＰアクセス接続をアクセス・ポイントが提供する機能を備えるインジケーションを、アクセス・ポイントから受信することと、このインジケーションに応じて、ローカルＩＰアクセス接続を要求することとを備える。
【００１９】
別の態様は、メモリとプロセッサとを備える無線通信装置に関する。メモリは、ローカルＩＰアクセス接続がアクセス・ポイントにおいて利用可能であることを示すインジケーションを受信することと、ローカルＩＰアクセス接続を要求することとに関連する命令群を保持する。プロセッサは、メモリに接続され、メモリに保持された命令群を実行するように構成される。
【００２０】
さらなる態様は、ローカル・インターネット・プロトコル（ＩＰ）アクセス接続情報を取得する無線通信装置に関する。無線通信装置は、ローカルＩＰアクセス接続をアクセス・ポイントが提供する機能を備えるインジケーションを、アクセス・ポイントから受信する手段と、このインジケーションに応じて、ローカルＩＰアクセス接続を要求する手段とを備える。それに加えて、無線通信装置は、受信する手段がインジケーションを受信する前に、アクセス・ポイントとの接続の確立を要求する手段を備える。
【００２１】
別の態様は、コンピュータ読取可能媒体を備えるコンピュータ・プログラム製品に関する。コンピュータ読取可能媒体には、コンピュータに対して、ローカルＩＰアクセス接続をアクセス・ポイントが提供できることを示すインジケーションを受信させるための第１のコードのセットと、コンピュータに対して、ローカルＩＰアクセス接続を要求をさせるための第２のコードのセットとが含まれる。
【００２２】
さらなる態様は、ローカル・インターネット・プロトコル（ＩＰ）アクセス機能情報を取得するように構成された少なくとも１つのプロセッサに関する。プロセッサは、アクセス・ポイントとの接続を要求する第１のモジュールと、接続が利用可能であることを示すインジケーションを受信する第２のモジュールとを備える。ここで、接続は、ローカルＩＰアクセス接続である。プロセッサはまた、ローカルＩＰアクセス接続を要求する第３のモジュールを備える。
【００２３】
前述した目的および関連する目的を達成するために、１または複数の態様は、後に十分説明され、特許請求の範囲で特に指摘される特徴を備える。以下の記載および添付図面は、１または複数の態様のある例示的な特徴を詳細に記載する。しかしながら、これらの特徴は、さまざまな態様の原理が適用されるさまざまな方式のうちのわずかを示すにすぎない。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００２４】
【図１】図１は、態様にしたがう典型的な無線通信システムの例のブロック図を示す。
【図２】図２は、態様にしたがって、ローカル・インターネット・プロトコル機能インジケーションを提供するように構成されたシステムを例示する。
【図３】図３は、態様にしたがって、ローカル・インターネット・プロトコル・アクセス機能情報を取得する方法を例示する。
【図４】図４は、態様にしたがって、アクセス・ポイントが、ローカル・インターネット・プロトコル・アクセスを提供するかを、共通シグナリングを用いて示す方法を例示する。
【図５】図５は、態様にしたがって、アクセス・ポイントが、ローカル・インターネット・プロトコル・アクセスを提供するかを、専用シグナリングを用いて示す方法を例示する。
【図６】図６は、態様にしたがって、ローカル・インターネット・プロトコル（ＩＰ）アクセス機能情報を取得するシステムの例を例示する。
【図７】図７は、態様にしたがって、ローカル・インターネット・プロトコル・アクセスが提供されるかを示すシステムの例を例示する。
【図８】図８は、態様にしたがって、ローカル・インターネット・プロトコル・アクセス接続が利用可能であることを示すシステムの例を例示する。
【図９】図９は、１または複数の態様と連携して利用されうる複数の基地局および複数の端末を備えた無線通信システムを例示する。
【図１０】図１０は、さまざまな態様にしたがう、計画されたまたは半計画された無線通信環境を例示する。
【発明を実施するための形態】
【００２５】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。他の事例では、これら態様の記載を容易にするために、周知の構成およびデバイスが、ブロック図形式で示される。
【００２６】
図１は、態様にしたがう典型的な無線通信システム１００の例のブロック図を示す。無線通信システム１００は、エア・インタフェースによってホーム・ノード１０４（例えば、加入者展開された基地局またはアクセス・ポイント）に無線接続されたユーザ機器（ＵＥ）１０２を備える。ホーム・ノード１０４は、ホーム・ノード１０４に接続された端末のためにローカルＩＰアクセスＩＰ接続をサポートするローカル・ゲートウェイ（Ｌ−ＧＷ１０６）に接続される。（あるいは、破線によって示されているように、Ｌ−ＧＷ１０６は、ホーム・ノード１０４の一部として含まれうる。）小さな点線は、ローカルなＩＰトラフィックがＵＥ１０２のために採るルートを示す。
【００２７】
ホーム・ノード１０４への音声サービスまたはデータ・サービスの実施のために、ホーム・ノードは、（例えば、モビリティ管理エンティティ［ＭＭＥ］のような）モビリティ・エンティティ１０８と、サービス提供ゲートウェイ１１０に接続されている。モビリティ・エンティティ１０８は、（例えば、セルラ・ネットワークのような）無線サービス・プロバイダ・ネットワークへ、および、（例えば、パケット・ゲートウェイ１１２におけるような）ＩＰトラフィックをサポートするＩＰ接続へのアクセスを容易にするために適用されうる。さらに、Ｌ−ＧＷ１０６において、ローカルＩＰアクセス・トラフィックのためのコンテキストまたは接続を確立しうる。これらサービスは、サービス提供ゲートウェイ１１０によって実施されうる。一方、サービス提供ゲートウェイ１１０は、パケット・ゲートウェイ１１２に接続されている。パケット・ゲートウェイ１１２は、ＵＥ１０２に関する加入、加入状態、課金レート、アクセス可能サービス等を検証するために、ポリシーおよび課金サーバ１１４にアクセスする。ＵＥ１０２に関連付けられた加入がＩＰトラフィックをサポートする場合、パケット・ゲートウェイ１１２によって、１または複数のＩＰネットワーク１１６（例えば、インターネット、イントラネット、ＩＰ関連サービス等）へのアクセスが、このＩＰトラフィックを促進できるようになる。
【００２８】
音声コールまたはデータ・コールを確立するために、ＵＥ１０２は、このようなトラフィックを求める要求を生成し、ホーム・ノード１０４へ送信する。その後、ホーム・ノード１０４は、この要求を、モビリティ・エンティティ１０８へ転送する。モビリティ・エンティティ１０８は、どのタイプのサービスがこの要求に関連付けられているかを判定し、ホーム・ノード１０４に関連付けられた適切なゲートウェイにおいて、トラフィックのための接続を開始する。
【００２９】
図２は、態様にしたがって、ローカル・インターネット・プロトコル機能インジケーションを提供するように構成されたシステム２００を例示する。ローカル・インターネット・プロトコル（ＩＰ）アクセスは、ＩＰ対応ユーザ・デバイスがアクセス・ポイントを介して（例えば、アクセス・ポイント・ラジオ・アクセスを用いて）同じ住宅／企業ＩＰネットワーク内の他のＩＰ対応エンティティへ接続するためのアクセスを提供する。ローカルＩＰアクセスのためのトラフィックは、モバイル・オペレータのネットワークを通過しないことが期待される。例えば、ローカルＩＰアクセスは、無線広域アクセス技術（例えば、ＵＭＴＳ（ユニバーサル・モバイル・テレコミュニケーション・システム）、ＬＴＥ（ロング・ターム・イボリューション）、ＨＳＰＡ（高速パケット・アクセス）、ＨＲＰＤ（高レート・パケット・データ）、１ｘ等）を用いて、（しばしば、フェムト・アクセス・ポイントと称される）ホーム・アクセス・ポイントによって提供されうる。ローカルＩＰアクセスを用いて、移動局（技術に依存して、アクセス端末、ユーザ機器、モバイル・デバイス等）は、ホームネットワーク（または、その他のローカル・ネットワーク）内でローカルに利用可能なノードに接続しうる。これらローカルに利用可能なノードは、プリンタ、メディア・サーバ、その他のコンピュータ、または、アクセス・ポイントを介したホーム／ローカル・ネットワーク内のその他のデバイスを含む。
【００３０】
従来、ローカルＩＰアクセスがサポートされているかを判定するために、モバイル・デバイスは、ローカル・パケット・データ・ネットワーク（ＰＤＮ）接続を開始する要求を行わねばならず、ネットワークは、モバイル・デバイスが、ローカルＰＤＮを確立することが許可されているかのみならず、ローカルＰＤＮをどこで確立するかの判定を行わねばならない。新たなアクセス・ポイントが確立および／または発見された場合、モバイル・デバイスは、そのアクセス・ポイントがローカル・ＩＰアクセスをサポートしているか分らないであろう。この状況では、モバイル・デバイスは、アクセス・ポイントがローカルＩＰアクセスをサポートしているかを知るために、アクセス・ポイントを発見するたびにシグナリングをトリガする必要がある。これは、言うまでも無く、システム・リソースを浪費する。本明細書に開示されたさまざまな態様は、ローカルＩＰアクセスが利用可能であることの動的な通知を提供する。
【００３１】
システム２００には、アクセス・ポイント２０２と、単一のモバイル・デバイス２０４として示されている１または複数のモバイル・デバイスとが含まれる。アクセス・ポイント２０２および／またはモバイル・デバイスは、無線通信装置でありうる。アクセス・ポイント２０２は、ローカルＩＰアクセスをサポートするように構成されたマクロ・アクセス・ポイントまたはフェムト・アクセス・ポイントでありうる。理解されるように、システム２００には多くのアクセス・ポイント２０２およびモバイル・デバイス２０４が含まれうるが、簡略のために、単一のモバイル・デバイス２０４と通信データ信号を送信する単一のアクセス・ポイント２０２が図示されている。
【００３２】
アクセス・ポイント２０２は、ローカルＩＰアクセスがサポートされているかを判定するように構成されうる。例えば、第１のユーザおよび第２のユーザはそれぞれ、第１のオペレータのネットワークおよび第２のオペレータのネットワークの加入者である。第１のユーザは、第２ユーザの住宅を訪れ、第２のユーザは、第１のユーザに対して、第２のユーザの住宅内のアクセス・ポイントを使用することを許可する。第１のユーザは、第２のユーザおよび第２のオペレータによって設定されたポリシーに基づいて、第２のオペレータから加入者サーバへのアクセスを有する（または、有しない）。これは、第１のオペレータと第２のオペレータとの間の合意に基づきうる。
【００３３】
ローカルＩＰアクセスがサポートされている場合、アクセス・ポイント２０２は、（例えば、すべてのモバイル・デバイスがシグナリングを受信し、正しく復号することができる）共通シグナリング、または、（例えば、シグナリングが、モバイル・デバイスのうちの１つに特定である）専用シグナリングを用いることにより、モバイル・デバイス２０４にＩＰアクセス・サポートを通知する。モバイル・デバイス２０４は、ローカルＩＰアクセスがサポートされていることを示すインジケーションを受信するように構成されており、このインジケーションに応じて、ローカルＩＰアクセス接続を要求しうる。
【００３４】
アクセス・ポイント２０２は、ローカルＩＰアクセス接続がアクセス・ポイント２０２において利用可能であるかを判定するように構成されたＩＰアクセス・モジュール２０６を含みうる。ローカルＩＰアクセス接続は、アクセス・ポイント２０２からダイレクトにアクセス可能でありうる。いくつかの態様によれば、アクセス・ポイント２０２は、ローカル・アクセス・ポイント・サービスを提供しないが、サービスを提供する別のノードに接続される。いくつかの態様によれば、ＩＰアクセス・モジュール２０６による判定は、モバイル・デバイス２０４にローカルＩＰアクセス接続を提供するかを示すコンフィギュレーションをネットワーク・エンティティ２０８から受信することを含みうる。あるいは、または、それに加えて、モバイル・デバイス２０４のためにローカルＩＰアクセス接続が許可されていることをＩＰアクセス・モジュール２０６に通知するインジケーションが、ネットワーク・エンティティ２０８から受信されうる。
【００３５】
さらに、アクセス・ポイント２０２には、ローカルＩＰアクセス接続がアクセス・ポイント２０２において利用可能であることを示す通知をモバイル・デバイス２０４へ送信するように構成された通知モジュール２１０が含まれる。この通知は、モバイル・デバイス２０４によって、受信構成要素２１２において受信される。通知モジュール２１０は、共通シグナリングおよび／または専用シグナリングを用いてこの通知を伝送するように構成されうる。いくつかの態様によれば、ローカルＩＰアクセス接続が利用可能ではない場合、通知モジュール２１０は、ローカルＩＰアクセス・メッセージが利用可能ではないことを、モバイル・デバイス２０４へ送る。
【００３６】
共通シグナリングの場合、通知モジュール２１０は、ローカルＩＰアクセス接続が利用可能であることを示すインジケーションを、オーバヘッド・チャネルで通知（ブロードキャスト）しうる。オーバヘッド・チャネルは、システム情報ブロック（ＳＩＢ）を備えうる。また、インジケーションは、ローカルＩＰアクセス接続がアクセス・ポイント２０２において利用可能であるかを示すビット（または、その他のフィールド）でありうる。いくつかの態様によれば、ＳＩＢは、ロング・ターム・イボリューション（ＬＴＥ）ではＳＩＢ１またはＳＩＢ２である。共通シグナリングを用いることによって、モバイル・デバイス２０４は、アクセス・ポイント２０２に接続する前に、ローカルＩＰアクセスが利用可能であるかについて知ることができるようになる。その結果、アクセス・ポイント２０２は、ＩＰアクセスが利用可能になるのとほぼ同時に、および／または、モバイル・デバイス２０４がアクセス・ポイント２０２の接続範囲内にある場合、モバイル・デバイス２０４からの接続をトリガするように構成されたトリガ・モジュール２１４をも含みうる。
【００３７】
専用シグナリングの場合、受信モジュール２１６は、アクセス・ポイント２０２への接続を確立する要求をモバイル・デバイス２０４から受信するように構成されている。いくつかの態様によれば、要求は、ＩＰアクセスがサポートされているかをＩＰアクセス・モジュール２０６が判定する前に受信されうる。いくつかの態様によれば、要求は、ＩＰアクセスがサポートされているかをＩＰモジュール２０６が判定するのと実質的に同時に、または、ＩＰアクセス・モジュール２０６がこの判定をした後に、受信されうる。通知モジュール２１０は、専用シグナリングによって、モバイル・デバイス特有のシグナリングでインジケーションを使用しうる。これは、モバイル・デバイス２０４がアクセス・ポイント２０２に接続するのと実質的に同時に、ローカルＩＰアクセスが利用可能であることをモバイル・デバイス２０４へ提供する。いくつかの態様によれば、インジケーションを専用シグナリングで送信するために、通知モジュール２１０は、ラジオ・リソース制御（ＲＲＣ）コマンドを使用する。態様によれば、ＲＲＣコマンドは、ＬＴＥにおけるＲＲＣＲｅｃｏｎｆｉｇｕｒａｔｉｏｎＣｏｍｍａｎｄメッセージである。いくつかの態様によれば、専用シグナリングは、ＮＡＳ（Ｎｏｎ  Ａｃｃｅｓｓ  Ｓｔｒａｔｕｍ）シグナリングである。いくつかの態様によれば、受信モジュール２１６は、モバイル・デバイス２０４の機能を受信し、通知モジュール２１０は、モバイル・デバイス２０４の機能に応じてインジケーションを送信する。専用シグナリングによって、モバイル・デバイス２０４は、アクセス・ポイント２０２へ接続した後、ローカルＩＰアクセスが利用可能であるかについて知ることができるようになる。
【００３８】
共通シグナリングおよび／または専用シグナリングによって、モバイル・デバイス２０４は、ローカルＩＰアクセス接続を要求することに関し、適切な選択を行うことができるようになる。このようなインジケーションがない状態では、モバイル・デバイス２０４は、ローカルＩＰアクセス接続要求を行う必要がある。これは、アクセス・ポイントがローカルＩＰアクセスをサポートしていない場合、モバイル・デバイスがフェムト・アクセス・ポイントまたはマクロ・アクセス・ポイントの有効通信範囲領域に入るたびに拒否される。ローカルＩＰアクセス機能のインジケーションによって、モバイル・デバイスは、フェムト・アクセス・ポイントまたはマクロ・アクセス・ポイントがローカルＩＰアクセス機能を有する場合にのみローカルＩＰアクセス接続を要求できるようになる。これは、シグナリング要件を緩和しうる。
【００３９】
モバイル・デバイス２０４の要求構成要素２１８は、このインジケーションに応じて、ローカルＩＰアクセス接続を求める要求を送るように構成されうる。この要求は、受信モジュール２１６によって受信されうる。いくつかの態様によれば、専用シグナリングが利用される場合、この要求は、ローカルＩＰアクセス接続を確立するための第２の要求でありうる。
【００４０】
例示されるように、アクセス・ポイントは、受信アンテナ２２０によって、１または複数の通信デバイス（例えば、モバイル・デバイス２０４、ネットワーク・エンティティ２０８）から信号（単数または複数）を受信し、送信アンテナ２２２を介して１または複数の通信デバイスに送信する。受信モジュール２１６は、受信アンテナ２２０から情報を受信する。また、受信された情報を復調する復調器２２４と動作可能に関連付けられている。復調されたシンボルは、ローカルＩＰアクセス接続に関連する情報を格納するメモリ２２８に接続された少なくとも１つのプロセッサ２２６によって分析される。変調器２３０は、送信機２３２による送信アンテナ２２２を介した通信デバイスへの送信のために信号を多重化しうる。
【００４１】
プロセッサ２２６は、ローカル・インターネット・プロトコル（ＩＰ）アクセスが利用可能であるかを示すように構成されうる。プロセッサ２２６は、ローカルＩＰアクセス接続を提供するかを示すコンフィギュレーション、または、モバイル・デバイス２０４のためにローカルＩＰアクセス接続が許可されているか（または、許可されていないか）を示すインジケーションを、ネットワーク・エンティティ２０８から受信する第１のモジュールを備えうる。プロセッサ２２６はさらに、コンフィギュレーションまたはインジケーションに応じて、ローカルＩＰアクセス接続が利用可能であることを確証する第２のモジュールと、ローカルＩＰアクセス接続が利用可能であるとの通知を、共通シグナリングによって伝送する第３のモジュールとを備えうる。それに加えて、プロセッサ２２６は、オーバヘッド・チャネルにビットを挿入する第４のモジュールを備えうる。そして、第３のモジュールは、このオーバヘッド・チャネルを共通シグナリングで送信する。ビットは、ローカルＩＰアクセス接続が利用可能であることを示しうる。
【００４２】
あるいは、または、それに加えて、プロセッサ２２６は、ローカル・インターネット・プロトコル（ＩＰ）アクセス接続が利用可能であるかを示すように構成されうる。プロセッサ２２６は、モバイル・デバイス２０４から接続要求を受信する第１のモジュールと、ローカルＩＰアクセス接続が利用可能であること（または、利用可能ではないこと）を示すネットワーク・コンフィギュレーションを取得する第２のモジュールとを備えうる。プロセッサ２２６はさらに、ローカルＩＰアクセス接続が利用可能であること（または、利用可能ではないこと）の通知を、専用シグナリングによって送信する第３のモジュールを備えうる。それに加えて、プロセッサ２２６は、モバイル・デバイス２０４の機能を受信する第４のモジュールを備え、第３のモジュールは、モバイル・デバイス２０４の機能に応じてこの通知を送信する。
【００４３】
いくつかの態様によれば、メモリ２２８は、ローカルＩＰアクセス接続がアクセス・ポイント２０２において利用可能であることを確証することと、ローカルＩＰアクセス接続が利用可能であるとの通知を、共通シグナリングによって送信することとに関連する命令群を保持しうる。さらに、メモリ２２８は、ローカルＩＰアクセス接続のインジケーションを、オーバヘッド・チャネルで通知することに関連する命令群を保持しうる。ここで、オーバヘッド・チャネルは、システム情報ブロックを備え、インジケーションは、ローカルＩＰアクセス接続が利用可能であることを示すビットである。いくつかの態様によれば、メモリ２２８はさらに、ネットワーク・エンティティ２０８からコンフィギュレーションを受信することに関連する命令群を保持する。ここで、コンフィギュレーションは、ローカルＩＰアクセス接続を提供するかを示す。いくつかの態様によれば、メモリ２２８はさらに、ローカルＩＰアクセス接続がモバイル・デバイス２０４のために許可されている（または、許可されていない）ことを示すインジケーションをネットワーク・エンティティ２０８から受信することに関連する命令群を保持する。
【００４４】
いくつかの態様によれば、メモリ２２８は、アクセス・ポイント２０２への接続の確立を求める要求をモバイル・デバイス２０４から取得することと、アクセス・ポイント２０２がローカルＩＰアクセス接続を提供しうることを確証することと、ローカルＩＰアクセス接続が利用可能であるとの通知を、専用シグナリングを用いてモバイル・デバイス２０４へ送信することとに関連する命令群を保持しうる。さらに、メモリ２２８はさらに、モバイル・デバイス２０４にローカルＩＰアクセス接続を提供するかを示すコンフィギュレーションをネットワーク・エンティティ２０８から受信することに関連する命令群を保持しうる。いくつかの態様によれば、メモリ２２８はさらに、モバイル・デバイス特有のシグナリングを用いてインジケーションを送信することと、ラジオ・リソース制御コマンドを使用することとに関連する命令群を保持しうる。
【００４５】
モバイル・デバイス２０４の受信構成要素２１２は、例えば、受信アンテナから信号を受信しうる。受信構成要素２１２は、受信した信号について、例えば、フィルタリング、増幅、ダウンコンバート等のような一般的な動作を実行しうる。受信構成要素２１２はまた、この調整された信号をデジタル化して、サンプルを取得しうる。復調器２３４は、おのおののシンボル期間に受信シンボルを取得するのみならず、受信シンボルを少なくとも１つのプロセッサ２３６に提供する。
【００４６】
プロセッサ２３６は、受信構成要素２１２によって受信された情報の分析、および／または、送信機２３８による送信のための情報の生成に特化されたプロセッサでありうる。それに加えて、あるいは、その代わりに、プロセッサ２３６は、モバイル・デバイス２０４の１または複数の構成要素の制御、受信構成要素２１２によって受信された情報の分析、送信機２３８による送信のための情報の生成、および／または、モバイル・デバイス２０４の１または複数の構成要素の制御を行いうる。プロセッサ２３６は、さらなるユーザ・デバイスおよび／またはアクセス・ポイントとの通信を調整することが可能なコントローラ構成要素を含みうる。
【００４７】
プロセッサ２３６は、ローカル・インターネット・プロトコル（ＩＰ）アクセス機能情報を取得するように構成されうる。プロセッサ２３６は、アクセス・ポイント２０２との接続を要求する第１のモジュールと、接続が利用可能であることを示すインジケーションを受信する第２のモジュールとを備える。ここで、接続は、ローカルＩＰアクセス接続である。プロセッサ２３６はまた、ローカルＩＰアクセス接続を要求する第３のモジュールをも備えうる。いくつかの態様によれば、第２のモジュールは、システム情報ブロックを備えるオーバヘッド・チャネルを受信する。
【００４８】
モバイル・デバイス２０４はさらに、プロセッサ２３６に動作可能に接続されたメモリ２４０を備えうる。メモリ２４０は、通信を調整することに関連する情報、および、その他任意の適切な情報を格納しうる。メモリ２４０はさらに、ローカルＩＰアクセスに関連付けられたプロトコルを格納しうる。モバイル・デバイス２０４はさらに、シンボル変調器２４２を備えうる。ここで、送信機２３８は、変調された信号を送信する。
【００４９】
メモリ２４０は、ローカルＩＰアクセス接続がアクセス・ポイント２０２において利用可能であることを示すインジケーションを受信することと、ローカルＩＰアクセス接続を要求することとに関連する命令群を保持しうる。それに加えて、メモリ２４０はさらに、システム情報ブロックを備えるインジケーションをオーバヘッド・チャネルで取得することに関連する命令群を保持しうる。いくつかの態様によれば、メモリ２４０はさらに、共通シグナリングまたは専用シグナリングでインジケーションを受信することに関連する命令群を保持しうる。
【００５０】
本明細書に記載されたデータ・ストア（例えば、メモリ）構成要素は、揮発性メモリまたは不揮発性メモリであるか、あるいは、揮発性メモリと不揮発性メモリとの両方を含みうることが認識されるべきである。限定ではなく、例として、不揮発性メモリは、読取専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例として、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ（登録商標））のような多くの形式で利用可能である。開示された態様のメモリは、限定される訳ではないが、これらのタイプの、あるいは、その他の適切なタイプのメモリを備えることが意図されている。
【００５１】
上記に記載および図示された典型的なシステムを考慮すると、開示された主題にしたがって実現される方法は、さまざまなフローチャートを参照してより良く認識されるだろう。説明の単純化の目的のために、これら方法は一連のブロックとして図示および説明されているが、権利主張される主題は、いくつかのブロックは、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００５２】
図３は、態様にしたがって、ローカル・インターネット・プロトコル（ＩＰ）アクセス機能情報を取得する方法３００を例示する。方法３００は、ユーザ端末によって実行されうる。方法３００は、アクセス・ポイントからのインジケーションが受信される３０２で始まる。このインジケーションは、アクセス・ポイントがローカルＩＰ接続を提供できる機能を示す。このインジケーションは、共通シグナリングで取得されうる。態様によれば、このインジケーションはオーバヘッド・チャネルで取得され、システム情報ブロックを備えうる。いくつかの態様によれば、インジケーションは、専用シグナリングで取得される。態様によれば、インジケーションは、ユーザ端末特有のシグナリングで取得される。この受信は、３０２において、ＲＲＣＲｅｃｏｎｆｉｇｕｒａｔｉｏｎＣｏｍｍａｎｄメッセージでありうるＲＲＣコマンドを受信することを含みうる。３０４では、このインジケーションに応じて、ローカルＩＰアクセス接続が要求される。
【００５３】
オプションとして、３０２においてインジケーションを受信する前に、３０６において、アクセス・ポイントとの接続を確立する要求が送られる。３０６において、接続を確立する要求が送られると、３０４においてローカルＩＰアクセスを求める要求は、ローカルＩＰアクセス接続の確立を求める第２の要求である。
【００５４】
いくつかの態様によれば、コンピュータ・プログラム製品は、方法３００のさまざまな態様を実行するためのコードを備える、コンピュータ読取可能媒体を含みうる。コンピュータ読取可能媒体は、コンピュータに対して、ローカルＩＰアクセス接続をアクセス・ポイントが提供しうることを示すインジケーションを受信させるための第１のコードのセットを含みうる。コンピュータ読取可能媒体はまた、コンピュータに対して、ローカルＩＰアクセス接続を要求させるための第２のコードのセットを含みうる。いくつかの態様によれば、第１のコードのセットは、共通シグナリングまたは専用シグナリングでインジケーションを受信する。
【００５５】
図４は、態様にしたがって、アクセス・ポイントが、ローカル・インターネット・プロトコル（ＩＰ）アクセスを提供するかを、共通シグナリングを用いて示す方法を例示する。方法４００は、アクセス・ポイントによって実行されうる。方法４００は、ローカルＩＰアクセス接続がアクセス・ポイントにおいて利用可能であるとの判定がなされる４０２において始まる。この判定は、ネットワーク・エンティティからコンフィギュレーションを受信することに基づいてなされうる。受信されたコンフィギュレーションは、ローカルＩＰアクセス接続をモバイル・デバイスへ提供するかを示す。いくつかの態様によれば、この判定は、ローカルＩＰアクセス接続がモバイル・デバイスのために許可されていることを示すインジケーションを、ネットワーク・エンティティから受信することに基づく。
【００５６】
４０４では、モバイル・デバイスは、ローカルＩＰアクセス接続がアクセス・ポイントにおいて利用可能であることを、共通シグナリングによって通知される。この通知は、ローカルＩＰアクセス接続が利用可能であることを示すインジケーションを、オーバヘッド・チャネルで通知することを備えうる。オーバヘッド・チャネルは、システム情報ブロックを備えうる。また、このインジケーションは、ローカルＩＰアクセス接続がアクセス・ポイントにおいて利用可能であるかを示すビットでありうる。
【００５７】
いくつかの態様によれば、方法４００は、接続がモバイル・デバイスからトリガされる４０６で継続する。あるいは、または、それに加えて、方法は、アクセス・ポイントにおいてローカルＩＰアクセス接続を確立することを求める要求が、モバイル・デバイスから受信される４０８で継続する。
【００５８】
いくつかの態様によれば、コンピュータ・プログラム製品は、方法４００のさまざまな態様を実行するためのコードを備える、コンピュータ読取可能媒体を含みうる。コンピュータ読取可能媒体は、コンピュータに対して、モバイル・デバイスのためにローカルＩＰアクセス接続が利用可能であることを判定させるための第１のコードのセットを含みうる。コンピュータ読取可能媒体にはまた、コンピュータに対して、ローカルＩＰアクセス接続が利用可能であることを示すインジケーションをモバイル・デバイスへ送信するために共通シグナリングを使用させるための第２のコードのセットが含まれる。いくつかの態様によれば、第１のコードのセットは、モバイル・デバイスにローカルＩＰアクセス接続を提供するかを示すコンフィギュレーションをネットワーク・エンティティから受信するか、または、モバイル・デバイスのためにローカルＩＰアクセス接続が許可されていることを示すインジケーションを受信する。
【００５９】
図５は、態様にしたがって、アクセス・ポイントが、ローカル・インターネット・プロトコル（ＩＰ）アクセスを提供するかを、専用シグナリングを用いて示す方法５００を例示する。方法５００は、アクセス・ポイントによって実行され、アクセス・ポイントへの接続の確立を求める要求が、モバイル・デバイスから受信される５０２において始まる。５０４では、アクセス・ポイントがローカルＩＰアクセス接続を提供できると判定される。この判定は、ネットワーク・エンティティからコンフィギュレーションを受信することに基づいてなされうる。コンフィギュレーションは、ローカルＩＰアクセス接続をモバイル・デバイスへ提供するかを示す。
【００６０】
５０６では、モバイル・デバイスは、ローカルＩＰアクセス接続がアクセス・ポイントにおいて利用可能であることを専用シグナリングを用いて通知される。専用シグナリングは、モバイル・デバイス特有のシグナリングを用いてインジケーションを送信することを備えうる。いくつかの態様によれば、専用シグナリングは、ＲＲＣコマンドを使用することを備える。ＲＲＣコマンドは、ＲＲＣＲｅｃｏｎｆｉｇｕｒａｔｉｏｎＣｏｍｍａｎｄメッセージでありうる。
【００６１】
いくつかの態様によれば、方法５００は、ローカルＩＰアクセス接続を確立する第２の要求がモバイル・デバイスから受信される５０８で継続する。あるいは、または、それに加えて、方法５００は、モバイル・デバイスの機能を受信する５１０で始まる。この態様では、５０６において通知することは、モバイル・デバイスの機能に応じている。
【００６２】
いくつかの態様によれば、コンピュータ・プログラム製品は、方法５００のさまざまな態様を実行するためのコードを備える、コンピュータ読取可能媒体を含みうる。コンピュータ読取可能媒体は、コンピュータに対して、接続要求を受信させるための第１のコードのセットと、コンピュータに対して、ローカルＩＰアクセス接続が利用可能であることを判定させるための第２のコードのセットとを含みうる。コンピュータ読取可能媒体はまた、コンピュータに対して、ローカルＩＰアクセス接続が利用可能であるかに関する情報を伝送させるための第３のコードのセットを含みうる。いくつかの態様によれば、コンピュータ読取可能媒体は、コンピュータに対して、ローカルＩＰアクセス接続を提供するかを示すコンフィギュレーションをネットワーク・エンティティから受信させるための第４のコードのセットを含む。
【００６３】
図６を参照して、態様にしたがって、ローカル・インターネット・プロトコル（ＩＰ）アクセス機能情報を取得するシステム６００の例が例示される。システム６００は、モバイル・デバイス内に少なくとも部分的に存在しうる。システム６００は、プロセッサ、ソフトウェア、またはこれらの組み合わせ（例えば、ファームウェア）によって実現される機能を表す機能ブロックでありうる機能ブロックを含むものとして表されていることが認識されるべきである。
【００６４】
システム６００は、個別にまたは連携して動作しうる電子構成要素の論理グループ６０２を含む。論理グループ６０２は、ローカルＩＰアクセス接続をアクセス・ポイントが提供できることを示すインジケーションを受信するための電子構成要素６０４を含む。このインジケーションは、共通シグナリングによって受信されうる。いくつかの態様によれば、このインジケーションは、システム情報ブロックを備えることができ、オーバヘッド・チャネルで受信されうる。いくつかの態様によれば、このインジケーションは、専用シグナリングで受信されうる。いくつかの態様によれば、このインジケーションは、モバイル・デバイス特有のシグナリングで取得されうる。論理グループ６０２にはまた、このインジケーションに応じて、ローカルＩＰアクセス接続を要求するための電子構成要素６０６が含まれる。
【００６５】
いくつかの態様によれば、論理グループ６０２は、電子構成要素６０４がインジケーションを受信する前に、アクセス・ポイントとの接続の確立を要求するための電子構成要素６０８を含む。いくつかの態様によれば、論理グループ６０２は、電子構成要素６０４がインジケーションを受信する前に、アクセス・ポイントとの接続の確立を要求するための電子構成要素を含む。
【００６６】
さらに、システム６００は、電子構成要素６０４、６０６、６０８、またはその他の構成要素に関連付けられた機能を実行するための命令群を保持するメモリ６１０を含みうる。メモリ６１０の外側にあるとして示されているが、電子構成要素６０４、６０６、６０８のうちの１または複数は、メモリ６１０内に存在しうることが理解されるべきである。
【００６７】
図７は、態様にしたがって、ローカル・インターネット・プロトコル（ＩＰ）アクセスが提供されるかを示すシステム７００の例を例示する。システムは、アクセス・ポイント内に少なくとも部分的に存在しうる。システム７００は、プロセッサ、ソフトウェア、またはこれらの組み合わせ（例えば、ファームウェア）によって実現される機能を表す機能ブロックでありうる機能ブロックを含むものとして表されている。
【００６８】
システム７００は、個別にまたは連携して動作する電子構成要素の論理グループ７０２を含む。論理グループ７０２には、ローカルＩＰアクセス接続が、システム７００において利用可能であると判定するための電子構成要素７０４が含まれる。電子構成要素７０４によるこの判定は、ネットワーク・エンティティからコンフィギュレーションを受信することに基づきうる。このコンフィギュレーションは、ローカルＩＰアクセス接続をモバイル・デバイスへ提供するかを示す。いくつかの態様によれば、電子構成要素７０２による判定は、ローカルＩＰアクセス接続がモバイル・デバイスのために許可されていることを示すインジケーションをネットワーク・エンティティから受信することに基づきうる。
【００６９】
さらに、論理グループ７０２には、システム７００においてローカルＩＰアクセス接続が利用可能であることを伝えるために、共通シグナリングを用いるための電子構成要素７０６が含まれる。
【００７０】
いくつかの態様によれば、論理グループ７０２は、ローカルＩＰアクセス接続のインジケーションを、オーバヘッド・チャネルで通知するための電子構成要素７０８を含む。オーバヘッド・チャネルは、システム情報ブロックを備え、インジケーションは、ローカルＩＰアクセス接続が利用可能であることを示すビットである。
【００７１】
いくつかの態様によれば、論理グループ７０２は、モバイル・デバイスからの接続をトリガするための電子構成要素を含む。あるいは、または、それに加えて、論理グループ７０２は、モバイル・デバイスからローカルＩＰアクセス接続を確立する要求を受信するための電子構成要素を含みうる。
【００７２】
システム７００は、電子構成要素７０４、７０６、７０８、およびその他の構成要素に関連付けられた機能を実行するための命令群を保持するメモリ７１０を含みうる。メモリ７１０の外側にあるとして示されているが、電子構成要素７０４、７０６、７０８のうちの１または複数は、メモリ７１０内に存在しうる。
【００７３】
図８は、態様にしたがって、ローカル・インターネット・プロトコル（ＩＰ）アクセス接続が利用可能であることを示すシステム８００の例を例示する。システム８００は、アクセス・ポイント内に少なくとも部分的に存在し、プロセッサ、ソフトウェア、またはこれらの組み合わせ（例えば、ファームウェア）によって実現される機能を表す機能ブロックでありうる機能ブロックを含むものとして表されている。
【００７４】
システム８００は、個別にまたは連携して動作しうる電子構成要素の論理グループ８０２を含む。論理グループ８０２は、システム８００への接続を確立する要求をモバイル・デバイスから受信するための電子構成要素８０４を含む。また論理グループ８０２には、ローカルＩＰアクセス接続がモバイル・デバイスに提供されうることを判定するための電子構成要素８０６が含まれる。さらに、論理グループ８０２は、ローカルＩＰアクセス接続が利用可能であることをモバイル・デバイスに通知するために、専用シグナリングを用いるための電子構成要素８０８を含む。
【００７５】
いくつかの態様によれば、電子構成要素８０８は、ラジオ・リソース制御コマンドを使用するための電子構成要素８１０を備える。いくつかの態様によれば、ラジオ・リソース制御コマンドは、ＲＲＣＲｅｃｏｎｆｉｇｕｒａｔｉｏｎＣｏｍｍａｎｄメッセージである。いくつかの態様によれば、論理グループ８０２は、モバイル・デバイスにローカルＩＰアクセス接続を提供するかを示すコンフィギュレーションをネットワーク・エンティティから受信するための電子構成要素８１２を含む。
【００７６】
システム８００は、電子構成要素８０４、８０６、８０８、８１０、８１２またはその他の構成要素に関連付けられた機能を実行するための命令群を保持するメモリ８１４を備える。メモリ８１４の外側にあるとして示されているが、電子構成要素８０４、８０６、８０８、８１０、８１２のうちの１または複数は、メモリ８１４内に存在しうる。
【００７７】
図９は、例えば、１または複数の態様と連携して利用されうる、複数の基地局（ＢＳ）９１０（例えば、無線アクセス・ポイント、無線通信装置）と、複数の端末９２０（例えば、ＡＴ）を備える無線通信システム９００を例示する。ＢＳ９１０は、一般に、端末と通信する固定局であり、アクセス・ポイント、ノードＢ、ｅノードＢ、またはその他いくつかの専門用語でも称されうる。ＢＳ９１０はおのおのの、図９において９０２ａ、９０２ｂ、９０２ｃとラベルされた３つの地理的領域として例示されているように、特定の地理的領域または有効通信範囲のための通信有効範囲を提供する。用語「セル」は、この用語が使用されるコンテキストに依存して、ＢＳまたはその有効範囲エリアを称しうる。システム容量を向上するために、ＢＳ地理的領域／有効通信範囲エリアは、複数の小さな領域（例えば、図９のセル９０２ａによれば、３つの小さな領域）９０４ａ、９０４ｂ、および９０４ｃへ分割されうる。これら小さな領域（９０４ａ、９０４ｂ、９０４ｃ）のおのおのは、それぞれの基地トランシーバ・サブシステム（ＢＴＳ）によってサービス提供されうる。用語「セクタ」は、この用語が使用されるコンテキストに依存して、ＢＴＳまたはその有効範囲エリアを称しうる。セクタ化されたセルの場合、セルのすべてのセクタのＢＴＳは一般に、このセルの基地局内に共存する。本明細書に記載された送信技術は、セクタ化されたセルを備えたシステムのみならず、セクタ化されていないセルを備えたシステムのためにも使用することができる。簡略のために、主題とする記載では、別に指定されていない限り、「基地局」という用語は、セクタにサービス提供する固定局のみならず、セルにサービス提供する固定局のためにも一般的に使用される。
【００７８】
端末９２０は、一般に、システムの全体にわたって分布しており、おのおのの端末９２０は、据置式または移動式でありうる。端末９２０はまた、移動局、ユーザ機器、ユーザ・デバイス、無線通信装置、アクセス端末、ユーザ端末、あるいはその他のある専門用語で称されうる。端末９２０は、無線デバイス、セルラ電話、携帯情報端末（ＰＤＡ）、無線モデム・カード等でありうる。端末９２０はおのおのの、所与の瞬間において、ダウンリンク（例えば、ＦＬ）およびアップリンク（例えば、ＲＬ）で０、１、または複数のＢＳ９１０と通信しうる。ダウンリンクは、基地局から端末への通信リンクを称し、アップリンクは、端末から基地局への通信リンクを称する。
【００７９】
集中型アーキテクチャの場合、システム・コントローラ９３０が、基地局９１０に接続しており、ＢＳ９１０のための調整および制御を提供する。分散型アーキテクチャの場合、ＢＳ９１０は、（例えば、ＢＳ９１０と通信可能に接続している有線または無線のバックホール・ネットワークによって）必要に応じて互いに通信しうる。順方向リンクにおけるデータ送信は、順方向リンクまたは通信システムによってサポートされうる最大データ・レートまたはその近傍で、１つのアクセス・ポイントから１つのアクセス端末へと生じる。順方向リンクの追加チャネル（例えば、制御チャネル）は、複数のアクセス・ポイントから１つのアクセス端末へ送信されうる。逆方向リンク・データ通信が、１つのアクセス端末から１または複数のアクセス・ポイントへ生じうる。
【００８０】
図１０は、さまざまな態様にしたがう、計画されたまたは半計画された無線通信環境１０００の例示である。通信環境１０００は、ＨＮＢ１０１０（またはＨｅＮＢ）を含む複数のアクセス・ポイントＢＳを含んでいる。これらのおのおのは、対応する小規模なネットワーク環境に搭載される。これら小規模なネットワーク環境の例は、ユーザ住宅、事業所、屋内／屋外施設１０３０等を含みうる。ＨＮＢ１０１０は、（例えば、ＨＮＢ１０１０に関連付けられたＣＳＧに含まれるような）関連付けられたＵＥ１０２０、あるいは、オプションとして、（例えば、ＨＮＢ１０１０のＣＧＳのために構成されていない）外部またはビジターのＵＥ１０２０にサービス提供するように構成されうる。おのおののＨＮＢ１０１０はさらに、（図示しない）ＤＳＬルータや、あるいは、ケーブル・モデム、電線接続によるブロードバンド、衛星インターネット接続、または同種のブロードバンド・インターネット接続（図示せず）を介して、インターネット１０４０およびモバイル・オペレータ・コア・ネットワーク１０５０に接続される。
【００８１】
ＨＮＢ１０１０による無線サービスを実施するために、ＨＮＢ１０１０の所有者は、モバイル・オペレータ・コア・ネットワーク１０５０によって提供される、例えば３Ｇモバイル・サービスのようなモバイル・サービスに加入する。また、ＵＥ１０２０は、本明細書に記載されたさまざまな技術を用いて、マクロ・セルラ環境、および／または、住宅の小規模ネットワーク環境において動作することができる。したがって、少なくともいくつかの開示された態様では、ＨＮＢ１０１０は、任意の適切な既存のＵＥ１０２０との下位互換性を持ちうる。さらに、さらに、マクロ・セル・モバイル・ネットワーク１０５５に加えて、ＵＥ１０２０は、予め定められた数のＨＮＢ１０１０、特に、対応するユーザ住宅（単数または複数）、事業所（単数または複数）、または、屋内／屋外施設１０３０内に存在するＨＮＢ１０１０によってサービス提供され、モバイル・オペレータ・コア・ネットワーク１０５０のマクロ・セル・モバイル・ネットワーク１０５５とのソフト・ハンドオーバ状態にはありえない。本明細書に記載された実施形態は、３ＧＰＰ用語を使用しているが、これら実施形態は、３ＧＰＰ（リリース９９、リリース５、リリース６、リリース７）技術のみならず、３ＧＰＰ２（１×ＲＴＴ、１×ＥＶ−ＤＯ  リリース０、改訂Ａ、改訂Ｂ）技術、およびその他の周知ならびに関連する技術にも適用されることが理解されるべきであると認識されるべきである。
【００８２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００８３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００８５】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００８６】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００８７】
ソフトウェアで実現される場合、これら機能は、コンピュータ読取可能媒体に格納されるか、１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００８８】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサは、マイクロ・プロセッサでありうるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、本明細書に記載されたステップまたは動作のうちの１または複数を実行するように動作可能な１または複数のモジュールを備えうる。
【００８９】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、メモリ・ユニットは、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【００９０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００９１】
単一キャリア変調および周波数領域等値化を利用する単一キャリア周波数分割多元接続（ＳＣ−ＦＤＭＡ）は、開示された態様とともに利用されうる技術である。ＳＣ−ＦＤＭＡは、ＯＦＤＭＡシステムと同等のパフォーマンス、および、実質的に同程度の全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点から、低いＰＡＰＲがモバイル端末に利益をもたらすアップリンク通信において利用されうる。
【００９２】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群あるいはコードを有するコンピュータ読取可能媒体を含むことができる。
【００９３】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これらの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９４】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。したがって、記載された態様は、特許請求の範囲のスコープ内にあるそのようなすべての変形、修正、および変更を含むことが意図される。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【００９５】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００９６】
本願で使用されるように、用語「構成要素」、「モジュール」、「システム」等は、ハードウェア、ファームウェア、ハードウェアとソフトウェアとの組み合わせ、ソフトウェア、実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【００９７】
さらに、さまざまな態様が、モバイル・デバイスに関して本明細書で記載される。モバイル・デバイスはまた、加入者ユニット、加入者局、移動局、モバイル、無線端末、ノード、デバイス、遠隔局、遠隔端末、アクセス端末、ユーザ端末、端末、無線通信デバイス、無線通信装置、ユーザ・エージェント、ユーザ・デバイス、あるいはユーザ機器（ＵＥ）などとも称され、システムの機能のうちのいくつかまたはすべてを含むことができる。モバイル・デバイスは、セルラ電話、コードレス電話、セッション初期化プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、無線端末と通信するために利用することができ、アクセス・ポイント、ノード、ノードＢ、ｅノードＢ、ｅ−ＮＢ、あるいは、その他のいくつかのネットワーク・エンティティで称され、これらの機能のうちのいくつかまたはすべてを含むことができる。
【００９８】
さまざまな態様または特徴が、多くのデバイス、構成要素、モジュールなどを含むシステムの観点から示されるだろう。さまざまなシステムが、図面に関連して説明されたように、追加のデバイス、構成要素、モジュール等を含み、および／または、これらデバイス、構成要素、モジュール等のうちのすべてを含んでいるとは限らないことが理解および認識されるべきである。これらアプローチの組み合わせもまた使用されうる。
【００９９】
さらに、主題とする記載では、「典型的」という用語（およびその変形）は、例、事例、または例示として役立つことを意味するために使用される。本明細書で「典型的」と記載された任意の態様または設計は、必ずしも、他の態様または設計に対して好適であるとも、有利であるとも解釈される必要はない。むしろ、「典型的」という用語を用いることは、概念を具体的な方式で表すことが意図されている。
以下に、本願出願の当初の特許請求の範囲に記載された発明を付記する。
[Ｃ１]  アクセス・ポイントが、ローカル・インターネット・プロトコル（ＩＰ）アクセスを提供するか示す方法であって、
ローカルＩＰアクセス接続が前記アクセス・ポイントにおいて利用可能であることを判定することと、
前記ローカルＩＰアクセス接続が前記アクセス・ポイントにおいて利用可能であることを、共通シグナリングを用いることによりモバイル・デバイスに通知することと
を備える方法。
[Ｃ２]  前記モバイル・デバイスからの接続をトリガすることをさらに備える、Ｃ１に記載の方法。
[Ｃ３]  前記アクセス・ポイントにおいて、前記モバイル・デバイスから、前記ローカルＩＰアクセス接続を確立する要求を受信することをさらに備える、Ｃ１に記載の方法。
[Ｃ４]  前記通知することは、前記ローカルＩＰアクセス接続が利用可能であることを示すインジケーションを、オーバヘッド・チャネルで通知することを備える、Ｃ１に記載の方法。
[Ｃ５]  前記オーバヘッド・チャネルはシステム情報ブロックを備え、ビットが、前記ローカルＩＰアクセス接続が前記アクセス・ポイントにおいて利用可能であるかを示す、Ｃ４に記載の方法。
[Ｃ６]  前記判定することは、ネットワーク・エンティティからコンフィギュレーションを受信することを備え、前記コンフィギュレーションは、前記ローカルＩＰアクセス接続を前記モバイル・デバイスへ提供するかを示す、Ｃ１に記載の方法。
[Ｃ７]  前記判定することは、前記ローカルＩＰアクセス接続が前記モバイル・デバイスのために許可されていることを示すインジケーションをネットワーク・エンティティから受信することを備える、Ｃ１に記載の方法。
[Ｃ８]  無線通信装置であって、
ローカルＩＰアクセス接続が、前記無線通信装置において利用可能であることを確証することと、
前記ローカルＩＰアクセス接続が利用可能であるとの通知を、共通シグナリングによって送信することと
に関連する命令群を保持するメモリと、
前記メモリに接続され、前記メモリに保持された命令群を実行するように構成されたプロセッサと
を備える無線通信装置。
[Ｃ９]  前記メモリはさらに、前記ローカルＩＰアクセス接続のインジケーションを、オーバヘッド・チャネルで通知することに関連する命令群を保持し、
前記オーバヘッド・チャネルは、システム情報ブロックを備え、
前記インジケーションは、前記ローカルＩＰアクセス接続が利用可能であることを示すビットである、Ｃ８に記載の無線通信装置。
[Ｃ１０]  前記メモリはさらに、ネットワーク・エンティティからコンフィギュレーションを受信することに関連する命令群を保持し、
前記コンフィギュレーションは、前記ローカルＩＰアクセス接続を提供するかを示す、Ｃ８に記載の無線通信装置。
[Ｃ１１]  前記メモリはさらに、前記ローカルＩＰアクセス接続がモバイル・デバイスのために許可されていることを示すインジケーションをネットワーク・エンティティから受信することに関連する命令群を保持する、Ｃ８に記載の無線通信装置。
[Ｃ１２]  ローカル・インターネット・プロトコル（ＩＰ）アクセスが利用可能であることを示す無線通信装置であって、
ローカルＩＰアクセス接続が、前記無線通信装置において利用可能であることを判定する手段と、
前記無線通信装置においてローカルＩＰアクセス接続が利用可能であることを伝えるために、共通シグナリングを用いる手段と
を備える無線通信装置。
[Ｃ１３]  ローカルＩＰアクセス接続を示すインジケーションを、オーバヘッド・チャネルで通知する手段をさらに備え、
前記オーバヘッド・チャネルは、システム情報ブロックを備え、インジケーションは、ローカルＩＰアクセス接続が利用可能であることを示すビットである、Ｃ１２に記載の無線通信装置。
[Ｃ１４]  コンピュータ・プログラム製品であって、
コンピュータに対して、モバイル・デバイスのためにローカルＩＰアクセス接続が利用可能であることを判定させるための第１のコードのセットと、
前記コンピュータに対して、前記ローカルＩＰアクセス接続が利用可能であることを示すインジケーションを前記モバイル・デバイスへ送信するために共通シグナリングを使用させるための第２のコードのセットと
を備えるコンピュータ読取可能媒体、を備えるコンピュータ・プログラム製品。
[Ｃ１５]  前記第１のコードのセットは、前記モバイル・デバイスに前記ローカルＩＰアクセス接続を提供するかを示すコンフィギュレーションをネットワーク・エンティティから受信するか、または、前記モバイル・デバイスのために前記ローカルＩＰアクセス接続が許可されていることを示すインジケーションを受信する、Ｃ１４に記載のコンピュータ・プログラム製品。
[Ｃ１６]  ローカル・インターネット・プロトコル（ＩＰ）アクセスが利用可能であるかを示すように構成された少なくとも１つのプロセッサであって、
ローカルＩＰアクセス接続を提供するかを示すコンフィギュレーション、または、前記ローカルＩＰアクセス接続がモバイル・デバイスのために許可されているかを示すインジケーションを、ネットワーク・エンティティから受信する第１のモジュールと、
前記コンフィギュレーションまたは前記インジケーションに応じて、前記ローカルＩＰアクセス接続が利用可能であることを確証する第２のモジュールと、
前記ローカルＩＰアクセス接続が利用可能であるとの通知を、共通シグナリングによって伝送する第３のモジュールと
を備える、少なくとも１つのプロセッサ。
[Ｃ１７]  オーバヘッド・チャネルにビットを挿入する第４のモジュールをさらに備え、
前記ビットは、前記ローカルＩＰアクセス接続が利用可能であることを示し、
前記第３のモジュールは、前記オーバヘッド・チャネルを共通シグナリングで送信する、Ｃ１８に記載の少なくとも１つのプロセッサ。
[Ｃ１８]  アクセス・ポイントが、ローカル・インターネット・プロトコル（ＩＰ）アクセス接続を提供するか示す方法であって、
前記アクセス・ポイントへの接続を確立する要求を、モバイル・デバイスから受信することと、
ローカルＩＰアクセス接続を前記アクセス・ポイントが提供できることを判定することと、
前記ローカルＩＰアクセス接続が前記アクセス・ポイントにおいて利用可能であることを、専用シグナリングを用いることにより前記モバイル・デバイスに通知することと
を備える方法。
[Ｃ１９]  前記判定することは、ネットワーク・エンティティからコンフィギュレーションを受信することを備え、
前記コンフィギュレーションは、前記ローカルＩＰアクセス接続を前記モバイル・デバイスへ提供するかを示す、Ｃ１８に記載の方法。
[Ｃ２０]  前記専用シグナリングは、モバイル・デバイス特有のシグナリングを用いてインジケーションを送信することを備える、Ｃ１８に記載の方法。
[Ｃ２１]  前記専用シグナリングは、ラジオ・リソース制御（ＲＲＣ）コマンドを使用することを備え、
前記ＲＲＣコマンドは、ＲＲＣＲｅｃｏｎｆｉｇｕｒａｔｉｏｎＣｏｍｍａｎｄメッセージである、Ｃ１８に記載の方法。
[Ｃ２２]  前記モバイル・デバイスの機能を受信することをさらに備え、
前記通知することは、前記モバイル・デバイスの機能に応じている、Ｃ１８に記載の方法。
[Ｃ２３]  前記モバイル・デバイスから、前記ローカルＩＰアクセス接続を確立する第２の要求を受信することをさらに備える、Ｃ１８に記載の方法。
[Ｃ２４]  無線通信装置であって、
前記無線通信装置への接続の確立を求める要求をモバイル・デバイスから取得することと、
前記無線通信装置がローカルＩＰアクセス接続を提供することを確証することと、
前記ローカルＩＰアクセス接続が利用可能であるとの通知を、専用シグナリングを用いて前記モバイル・デバイスへ送信することと
に関連する命令群を保持するメモリと、
前記メモリに接続され、前記メモリに保持された命令群を実行するように構成されたプロセッサと
を備える無線通信装置。
[Ｃ２５]  前記メモリはさらに、前記モバイル・デバイスに前記ローカルＩＰアクセス接続を提供するかを示すコンフィギュレーションをネットワーク・エンティティから受信することに関連する命令群を保持する、Ｃ２４に記載の無線通信装置。
[Ｃ２６]  前記メモリはさらに、
モバイル・デバイス特有のシグナリングを用いてインジケーションを送信することと、  ラジオ・リソース制御コマンドを使用することと
に関連する命令群を保持する、Ｃ２４に記載の無線通信装置。
[Ｃ２７]  ローカル・インターネット・プロトコル（ＩＰ）アクセス接続が利用可能であることを示す無線通信装置であって、
前記無線通信装置への接続を確立する要求をモバイル・デバイスから受信する手段と、  ローカルＩＰアクセス接続が前記モバイル・デバイスに提供されうることを判定する手段と、
前記ローカルＩＰアクセス接続が利用可能であることを前記モバイル・デバイスに通知するために、専用シグナリングを用いる手段と
を備える無線通信装置。
[Ｃ２８]  前記モバイル・デバイスに前記ローカルＩＰアクセス接続を提供するかを示すコンフィギュレーションをネットワーク・エンティティから受信する手段をさらに備える、Ｃ２７に記載の無線通信装置。
[Ｃ２９]  前記専用シグナリングを用いる手段はさらに、ラジオ・リソース制御コマンドを使用する手段を備え、
前記ラジオ・リソース制御コマンドは、ＲＲＣＲｅｃｏｎｆｉｇｕｒａｔｉｏｎＣｏｍｍａｎｄメッセージである、Ｃ２７に記載の無線通信装置。
[Ｃ３０]  コンピュータ・プログラム製品であって、
コンピュータに対して、接続要求を受信させるための第１のコードのセットと、
前記コンピュータに対して、ローカルＩＰアクセス接続が利用可能であることを判定させるための第２のコードのセットと、
前記コンピュータに対して、前記ローカルＩＰアクセス接続が利用可能であることに関連する情報を伝送させるための第３のコードのセットと
を備えるコンピュータ読取可能媒体、を備えるコンピュータ・プログラム製品。
[Ｃ３１]  前記コンピュータ読取可能媒体はさらに、前記コンピュータに対して、前記ローカルＩＰアクセス接続を提供するかを示すコンフィギュレーションをネットワーク・エンティティから受信させるための第４のコードのセットを備える、Ｃ３０に記載のコンピュータ・プログラム製品。
[Ｃ３２]  ローカル・インターネット・プロトコル（ＩＰ）アクセス接続が利用可能であるかを示すように構成された少なくとも１つのプロセッサであって、
モバイル・デバイスから接続要求を受信する第１のモジュールと、
ローカルＩＰアクセス接続が利用可能であることを示すネットワーク・コンフィギュレーションを取得する第２のモジュールと
前記ローカルＩＰアクセス接続が利用可能であるとの通知を、専用シグナリングによって送信する第３のモジュールと
を備える少なくとも１つのプロセッサ。
[Ｃ３３]  前記モバイル・デバイスの機能を受信する第４のモジュールをさらに備え、
前記第３のモジュールは、前記モバイル・デバイスの機能に応じて前記通知を送信する、Ｃ３２に記載の少なくとも１つのプロセッサ。
[Ｃ３４]  ローカル・インターネット・プロトコル（ＩＰ）アクセス機能情報を取得する方法であって、
ローカルＩＰアクセス接続をアクセス・ポイントが提供する機能を備えるインジケーションを、前記アクセス・ポイントから受信することと、
前記インジケーションに応じて、前記ローカルＩＰアクセス接続を要求することと
を備える方法。
[Ｃ３５]  前記受信することは、共通シグナリングによって前記インジケーションを取得することを備える、Ｃ３４に記載の方法。
[Ｃ３６]  前記受信することは、オーバヘッド・チャネルによって前記インジケーションを取得することを備える、Ｃ３４に記載の方法。
[Ｃ３７]  前記オーバヘッド・チャネルは、システム情報ブロックを備える、Ｃ３６に記載の方法。
[Ｃ３８]  前記受信することは、専用シグナリングによって前記インジケーションを取得することを備える、Ｃ３４に記載の方法。
[Ｃ３９]  前記受信することの前に、前記アクセス・ポイントとの接続の確立を要求することをさらに備える、Ｃ３８に記載の方法。
[Ｃ４０]  前記受信することは、モバイル・デバイス特有のシグナリングによって、前記インジケーションを取得することを備える、Ｃ３４に記載の方法。
[Ｃ４１]  前記受信することは、ラジオ・リソース制御（ＲＲＣ）コマンドを受信することを備え、
前記ＲＲＣコマンドは、ＲＲＣＲｅｃｏｎｆｉｇｕｒａｔｉｏｎＣｏｍｍａｎｄメッセージである、Ｃ３４に記載の方法。
[Ｃ４２]  無線通信装置であって、
ローカルＩＰアクセス接続がアクセス・ポイントにおいて利用可能であることを示すインジケーションを受信することと、
前記ローカルＩＰアクセス接続を要求することと
に関連する命令群を保持するメモリと、
前記メモリに接続され、前記メモリに保持された命令群を実行するように構成されたプロセッサと
を備える無線通信装置。
[Ｃ４３]  前記メモリはさらに、システム情報ブロックを備えるインジケーションをオーバヘッド・チャネルで取得することに関連する命令群を保持する、Ｃ４２に記載の無線通信装置。
[Ｃ４４]  前記メモリはさらに、共通シグナリングまたは専用シグナリングで前記インジケーションを受信することに関連する命令群を保持する、Ｃ４２に記載の無線通信装置。
[Ｃ４５]  ローカル・インターネット・プロトコル（ＩＰ）アクセス接続情報を取得する無線通信装置であって、
ローカルＩＰアクセス接続をアクセス・ポイントが提供する機能を備えるインジケーションを受信する手段と、
前記インジケーションに応じて、ローカルＩＰアクセス接続を要求する手段と
を備える無線通信装置。
[Ｃ４６]  前記受信する手段が前記インジケーションを受信する前に、前記アクセス・ポイントとの接続の確立を要求する手段をさらに備える、Ｃ４５に記載の無線通信装置。
[Ｃ４７]  コンピュータ・プログラム製品であって、
コンピュータに対して、ローカル・インターネット・プロトコル（ＩＰ）アクセス接続をアクセス・ポイントが提供できることを示すインジケーションを受信させるための第１のコードのセットと、
前記コンピュータに対して、ローカルＩＰアクセス接続を要求をさせるための第２のコードのセットと
を備えるコンピュータ読取可能媒体、を備えるコンピュータ・プログラム製品。
[Ｃ４８]  前記第１のコードのセットは、共通シグナリングまたは専用シグナリングで前記インジケーションを受信する、Ｃ４７に記載のコンピュータ・プログラム製品。
[Ｃ４９]  ローカル・インターネット・プロトコル（ＩＰ）アクセス機能情報を取得するように構成された少なくとも１つのプロセッサであって、
アクセス・ポイントとの接続を要求する第１のモジュールと、
前記接続が利用可能であることを示すインジケーションを受信する第２のモジュールと、ここで、前記接続は、ローカルＩＰアクセス接続である、
前記ローカルＩＰアクセス接続を要求する第３のモジュールと
を備える、少なくとも１つのプロセッサ。
[Ｃ５０]  前記第２のモジュールは、システム情報ブロックを備えるオーバヘッド・チャネルを受信する、Ｃ４９に記載の少なくとも１つのプロセッサ。
【図１】
0005666563.tif 000002
【図２】
0005666563.tif 000003
【図３】
0005666563.tif 000004
【図４】
0005666563.tif 000005
【図５】
0005666563.tif 000006
【図６】
0005666563.tif 000007
【図７】
0005666563.tif 000008
【図８】
0005666563.tif 000009
【図９】
0005666563.tif 000010
【図１０】
0005666563.tif 000011